(57)【特許請求の範囲】
【請求項１】
穂先竿と中竿と元竿を継合する継合式の釣竿であって、
前記元竿後端に、前記穂先竿及び中竿の後端を夫々保持可能な下栓を着脱可能に設けると共に、前記下栓の元竿への装着により、前記穂先竿及び中竿を前記元竿内部に収納可能とし、
前記下栓は、前記穂先竿及び中竿の後端を夫々保持可能な柔軟性のある保持部材を備えており、前記穂先竿と中竿を保持部材に保持した際、前記穂先竿と保持部材の保持力は、中竿と保持部材の保持力よりも強いことを特徴とする釣竿。
【請求項２】
前記穂先竿外面に、前記中竿内面に当接する当接部材を装着し、前記当接部材が中竿内面に当接した際、前記穂先竿の先端は中竿の先端から突出しないように設定されることを特徴とする請求項１に記載の釣竿。
【請求項３】
前記当接部材は釣糸ガイドであることを特徴とする請求項２に記載の釣竿。
【請求項４】
前記穂先竿と中竿は、前記保持部材に同軸状に保持されており、前記中竿を保持部材に圧入した際、前記保持部材を中心軸側に変形させて穂先竿に押圧力を付与することを特徴とする請求項１乃至３のいずれか１項に記載の釣竿。
【請求項５】
穂先竿と中竿と元竿を継合する継合式の釣竿であって、
前記元竿後端に着脱可能に設けられ、前記穂先竿及び中竿の後端を夫々保持可能な下栓と、
前記穂先竿の外面及び／又は中竿の内面に設けられ、前記穂先竿が中竿に収納された状態で、前記穂先竿先端を中竿先端から突出させないようにする当接部材と、
を有することを特徴とする釣竿。
【発明の詳細な説明】
【技術分野】
【０００１】
本発明は、複数の竿節を継合する継合式の釣竿に関し、詳細には、元竿の内部に、中竿及び穂先竿を収納可能にした釣竿に関する。
【背景技術】
【０００２】
一般的に、継合式と称される釣竿には、携帯性の向上を図るために、元竿に、それよりも先に継合される竿節を収納できる構造のものが知られている。この場合、釣竿の全長が長くなると、元竿に１本収納（２本継）の構造では、仕舞寸法が長くなってしまうため、特許文献１等に開示されているように、２本収納（３本継）の構造にすることが知られている。すなわち、この特許文献１には、中竿に穂先竿を収納した状態で、これを元竿に収納できる構造が開示されている。
【特許文献１】特開２００２−１４２６２０号
【発明の開示】
【発明が解決しようとする課題】
【０００３】
上記した特許文献１に開示されている釣竿は、元竿から腹当て部材を取り外して中竿を取り外し、更に、中竿の後端に装着されている下栓を取り外して、穂先竿を取り外すように構成されている。そして、中竿から取り外した穂先竿を中竿の先端に継合すると共に、中竿に再び下栓を装着し、この下栓部分を元竿の先端に継合することにより、中竿を元竿に継合するようになっている。
【０００４】
すなわち、上記した特許文献１に開示されている釣竿は、２本収納構造であることから携帯性に優れ、かつ元竿内に中竿及び穂先竿を収納した際、中竿は、元竿の腹当て部材の中竿保持部に保持され、かつ穂先竿は、中竿の下栓に保持されるため、携帯時にガタ付き等が生じることはないものの、組み立て時や収納時に手間が掛かるという問題がある。また、元竿内に中竿及び穂先竿を収納した状態で、穂先竿が何らかの原因で中竿先端から突出すると、穂先竿の先端が損傷してしまうという問題がある。
【０００５】
本発明は、上記した問題に基づいてなされたものであり、携帯性に優れ、収納時において中竿と穂先竿を元竿に確実に保持できると共に、組み立て時及び収納時における操作性の良い釣竿を提供することを目的とする。  
また、本発明は、上記したような釣竿において、収納時における穂先竿の損傷を防止できる釣竿を提供することを目的とする。
【課題を解決するための手段】
【０００６】
上記した目的を達成するために、本発明に係る釣竿は、穂先竿と中竿と元竿を継合する継合式に構成されており、前記元竿後端に、前記穂先竿及び中竿の後端を夫々保持可能な下栓を着脱可能に設け、前記下栓の元竿への装着により、前記穂先竿及び中竿を前記元竿内部に収納可能としたことを特徴とする。
【０００７】
上記した構成の釣竿は、穂先竿と中竿と元竿が継合式に構成されており、中竿の内部に穂先竿を収納し、この状態で中竿が元竿内に収納されることから、釣竿の全長を長くしつつ仕舞寸法を短くすることが可能となる。そして、釣竿を組み立てる際には、元竿の後端に装着されている下栓を外して、下栓に保持されている中竿及び穂先竿を取り外し、穂先竿後端を中竿先端に継合し、かつ中竿後端を元竿先端に継合すれば良い。なお、穂先竿及び中竿を取り外した下栓は、再び元竿後端に装着される。
【０００８】
上記した構成の下栓は、前記穂先竿及び中竿の後端を夫々保持可能な柔軟性のある保持部材を備えており、前記穂先竿と保持部材の保持力は、中竿と保持部材の保持力よりも強いことが好ましい。
【０００９】
このような構成では、中竿を下栓の保持部材から取り外した際に、そのはずみで穂先竿が保持部材から外れることが防止され、これにより、穂先竿の落下による紛失、破損等が防止される。
【００１０】
また、前記穂先竿外面に、前記中竿内面に当接する当接部材を装着しておき、前記当接部材が中竿内面に当接した際、前記穂先竿の先端が中竿の先端から突出しないように設定することが好ましい。
【００１１】
このような構成では、穂先竿が下栓から外れて前方に移動しても、前記当接部材によって、穂先竿の先端が中竿から突出することはないため、最も破損し易い穂先竿の先端部を保護することが可能となる。
【００１２】
この場合、当接部材を、予め穂先竿に装着される釣糸ガイドによって構成することで、別途、穂先竿に当接部材を設ける必要が無くなり、工数の削減及びコストダウンを図ることが可能となる。
【００１３】
また、前記穂先竿と中竿を、前記保持部材に同軸状に保持するようにしておき、前記中竿を保持部材に圧入した際、前記保持部材を中心軸側に変形させて穂先竿に押圧力を付与するように構成することが好ましい。
【００１４】
このような構成では、中竿を保持部材に圧入した際、保持部材が変形して穂先竿を強い押圧力で保持することから、簡単な構成で、穂先竿と保持部材の保持力を、中竿と保持部材の保持力よりも強くすることが可能となる。
【００１５】
また、上記した目的を達成するために、本発明に係る釣竿は、穂先竿と中竿と元竿を継合する継合式に構成されており、前記元竿後端に着脱可能に設けられ、前記穂先竿及び中竿の後端を夫々保持可能な下栓と、前記穂先竿の外面及び／又は中竿の内面に設けられ、前記穂先竿が中竿に収納された状態で、前記穂先竿先端を中竿先端から突出させないようにする当接部材と、を有することを特徴とする。
【００１６】
上記した構成の釣竿は、穂先竿と中竿と元竿が継合式に構成されており、中竿の内部に穂先竿を収納し、この状態で中竿が元竿内に収納されることから、釣竿の全長を長くしつつ仕舞寸法を短くすることが可能となる。そして、その収納状態において、穂先竿が下栓から外れても、穂先竿は、当接部材によって、その先端部分が中竿の先端から突出しないように設定されていることから、穂先竿先端の破損等が防止される。
【００１７】
なお、上記した当接部材は、例えば、穂先竿の外面及び／又は中竿の内面に、別体のリング状の部材や突起部材等を設けることで構成することが可能である。或いは、穂先竿に設けられる釣糸ガイドによって構成しても良い。
【発明の効果】
【００１８】
本発明によれば、携帯性に優れ、収納時において中竿と穂先竿を元竿に確実に保持できると共に、組み立て時及び収納時における操作性の良い継合式の釣竿が得られる。また、本発明によれば、収納時において、穂先竿の先端部分を損傷等することの無い釣竿が得られる。
【発明を実施するための最良の形態】
【００１９】
以下、本発明の実施形態について、添付図面を参照しながら具体的に説明する。  
本発明に係る釣竿は、元竿、中竿、及び元竿が並継式に構成されており、例えば、図１に示す釣竿１のように、元竿２、中竿３及び穂先竿４の夫々に、釣糸が挿通される釣糸ガイド５が下向きになった状態で使用されるもの（ヘチ竿等）、或いは、図２に示す釣竿１のように、元竿２、中竿３及び穂先竿４の夫々に、釣糸が挿通される釣糸ガイド５が上向きになった状態で使用されるもの（船竿等）が該当する。
【００２０】
なお、釣竿１を構成する各竿節は、例えば、強化繊維に合成樹脂を含浸させたプリプレグシートを芯金に巻回し、その後、熱硬化して脱芯することにより成形することが可能である。また、釣竿１は、図に示すような釣糸ガイド５が装着されていない形式のものであっても良い。
【００２１】
前記各竿節同士の継合構造は、一般的な並継構造の他、逆並継構造、インロー継構造、それらの組合せ等によって構成される。また、元竿２及び中竿３については、夫々内部に、それよりも先に継合する先竿が収納されるため中空構造とされるが、穂先竿４については、中実構造、中空構造、中実と中空が組み合わされた構造であっても良い。また、前記元竿２には、リールＲが着脱されるリールシート６が装着されると共に、その後端部には、下栓１０が着脱可能に装着されている。
【００２２】
図３は、図１に示す釣竿の主要部を示し、元竿内に、中竿及び穂先竿を収納した状態を示す図、図４は、図３に示す下栓の部分断面図、そして、図５は、図３に示す下栓の筒状部材における部分断面図である。
【００２３】
本実施形態の下栓１０は、元竿２の後端に対して圧入されるようになっており、その本体１０Ａの後方側露出部分には、実釣時に肘当てとして機能する肘当て部１１が形成されている。前記本体１０Ａには、例えば、金属（アルミ、真鍮、ＳＵＳ等）、樹脂（ＡＢＳ、ナイロン等）によって形成された筒状部材１２が被着されており、この部分が元竿２の後端内部に圧入されることで着脱されるようになっている。なお、筒状部材１２の外周には、所定間隔をおいて２つのＯリング１３が取着されており、シール性及び密着性を向上させている。
【００２４】
前記筒状部材１２の先端には、中竿３及び穂先竿４の後端を保持するように、保持部材１５が内嵌、取着されている。この保持部材１５は、ゴム、エラストマー、発泡剤等、柔軟性を有する部材によって形成されており、本実施形態においては、穂先竿４に対する保持力が、中竿３に対する保持力よりも大きくなるように構成されている。
【００２５】
すなわち、このように保持力に差を設けることで、最初に中竿３を抜いたときに、一緒に穂先竿４が抜けることが防止できるようになり、穂先竿の紛失や落下による損傷や破損等が防止される。
【００２６】
具体的には、保持部材１５は、中竿３と穂先竿４を同軸状に保持するように構成されており、その内側表面の中央部に穂先竿４を圧入保持できる凹部１６と、この凹部１６の径方向外側に、中竿３を圧入保持する円周溝１７を形成することで構成されている。このように、凹部１６と円周溝１７を形成することにより、両者の間には、穂先竿４の外周面に圧接するリング状の穂先固定片１８が形成されることとなり、この穂先固定片１８によって、中竿３と穂先竿４の保持力が異なるようになっている。
【００２７】
すなわち、穂先竿４を凹部１６に圧入し、引き続き中竿３を円周溝１７に挿入すると、リング状の穂先固定片１８は、外側から径方向内側に向けて押圧され、内側に変形することが可能となる。これにより、穂先竿４の基端部外面は、穂先固定片１８によって強く圧着されるようになり、強い保持力（中竿３に対する保持力よりも大きな保持力）が得られるようになる。
【００２８】
この場合、穂先固定片１８を、先端部分が薄肉厚で基端側に移行するに従い、次第に厚肉化するように形成することで、穂先固定片１８を変形し易くして押圧力に強弱を持たせ易くできると共に、中竿３及び穂先竿４の挿脱操作を、より行ない易くすることが可能となる。
【００２９】
なお、前記保持部材１５又は下栓１０に、穂先竿４及び中竿３を保持するに際して、最初から各保持力に強弱がつくような構造を付与しておいても良いが、上記したように、中竿３を保持させた際（圧入した際）に、保持部分を自然に変形させて保持力に差が生じるように構成することで、穂先竿４を着脱する際に強い力で押し込んだり引き抜いたりする必要がなくなって、穂先竿４の着脱操作性に優れるようになる。
【００３０】
また、上記した構成において、穂先竿４の外面に、中竿３の内面に当接する当接部材を装着しておくと共に、両者が当接した際には、穂先竿４の先端が中竿３の先端から突出しないように設定しておくことが好ましい。
【００３１】
このような当接部材については、例えば、図３に示すように、穂先竿４の外周面に固定される釣糸ガイド（最も基端側に固定される釣糸ガイド５Ａ）によって構成することが可能である。すなわち、穂先竿４の基端部が、前記保持部材１５の凹部１６から外れて、前方に移動しても、穂先竿４の外径が最も大きくなっている部分（釣糸ガイド５Ａの最外部５Ａ´）が、先端に向けて次第に縮径する中竿３の内面に当接して、穂先竿４の前方への移動を防止するようになっており、この状態では、穂先竿４の先端は、中竿３の先端から突出しないように設定されている。
【００３２】
上記したような当接部材（釣糸ガイド５Ａ）を設けておくことで、穂先竿４及び中竿３の収納状態において、穂先竿４が下栓１０（保持部材１５）から外れて前方に移動しても、穂先竿４は中竿内で停止されて穂先竿の先端は中竿３の先端から突出することがないため、穂先竿を損傷することが防止される。また、このような当接部材を、釣糸ガイド５Ａによって構成することで、新たに別部材を設ける必要が無くなり、工数の削減及びコストダウンを図ることが可能となる。
【００３３】
もちろん、上記した当接部材については、図６に示すように、穂先竿４の外周面に別部材を取着しても良い。図６に示す当接部材２０は、例えば、柔軟性のある発泡剤やゴム等の部材によって構成されており、最も後方に位置する固定ガイド５Ａよりも外径が大きくなるような形状となっている。この当接部材２０は、例えば、リング状、或いは突起状に形成して穂先竿の外周面に固定しても良いし、実釣時に取り外せるように着脱可能にしても良い。また、中竿３の内面に設けておいても良い。
【００３４】
このような当接部材２０によれば、穂先竿４が保持部材１５から外れて前方に移動しても、中竿の内面に当接して穂先竿４はそれよりも前方に移動することなく、停止保持されるようになる。この際、当接部材２０を、上記したように柔軟性のある材料で構成しておくことにより、ガタ付きや鳴きの発生を防止することができる。
【００３５】
以上のように構成される釣竿によれば、中竿３及び穂先竿４が、元竿２内に収納できるため、釣竿の全長を長くしても、仕舞寸法を短くして携帯性の向上が図れる。また、中竿３と穂先竿４の収納時においては、穂先竿と中竿の夫々の後端部分が、元竿２の後端に設けられた下栓１０（保持部材１５）に保持されることから、両竿節を、ガタ付きを生じさせることなく同時に保持することができる。
【００３６】
そして、釣竿を組み立てる際には、元竿２の後端に装着されている下栓１０を外し、ここの部分に保持されている中竿３及び穂先竿４を取り外して、穂先竿４の後端を中竿３の先端に継合し、かつ中竿３の後端を元竿２の先端に継合するだけで良い。すなわち、従来のように、中竿３に、穂先竿４を保持するような部材を設ける構造でも無いため、着脱時の操作性が優れると共に、構成が簡略化され、コストの低減を図ることが可能となる。
【００３７】
以上、本発明の実施形態について説明したが、本発明は、上記した実施形態の構成に限定されることはなく種々変形することが可能である。
【００３８】
上記した構成において、下栓とは、元竿に着脱可能に装着され、それを元竿から取り外すことで、中竿及び穂先竿を取り出すことができるように構成されたものであれば良い。このため、例えば、図７に示すように、保持部材１５を内嵌した筒状部材１２の後端に、軸方向に所定の長さを有するロンググリップ３０を装着したものであっても良い。このロンググリップ３０は、繊維強化樹脂（ＦＲＰ）又は金属（ＳＵＳ、アルミ、チタン等）によって有底の筒状に構成されており、前記筒状部材１２の後端部に接着等によって外嵌されて、必要に応じて糸３１等が巻回されている。
【００３９】
また、下栓については、上記したような肘当てとしての機能やグリップとしての機能を兼ね備えていなくても良い。すなわち、図８に示すように、雄ネジ部３５が形成されたキャップ状に構成しておき、回転操作部３６を回転操作することで、元竿の後端部に形成されている雌ネジ部に螺合するような構造であっても良い。このように、下栓の外形状や元竿に対する着脱方法については、適宜変形することが可能である。
【００４０】
また、上記した実施形態においては、中竿３及び穂先竿４は、下栓１０に柔軟性を有する保持部材１５を装着しておき、この保持部材に対して夫々保持できるように構成したが、このような保持構造は、下栓１０を構成する部材に直接形成しておいても良い（保持部材１５が無い構造であっても良い）。
【００４１】
さらに、下栓１０に対して、中竿３及び穂先竿４を保持する保持部材１５を装着する構成の場合、その保持部材１５の構成については、例えば、図９から図１１に示すように、適宜変形することが可能である。
【００４２】
図９に示す変形例は、前記穂先固定片１８をストレート状に構成すると共に、その先端部分に膨出部１８ａを形成した構成を示している。このような膨出部１８ａを形成することで、中竿及び穂先竿の保持力を高めることができ、元竿内で中竿及び穂先竿を容易に外れなくすることができる。
【００４３】
また、例えば、図１０及び図１１に示すように、中竿及び穂先竿の保持方法についても適宜変形することが可能である。
【００４４】
図１０に示す構成は、保持部材１５に、中竿用の大きな凹所４０を形成すると共に、凹所４０の底部中央に穂先竿用の小さな凹所４１を形成したものである。この場合、各凹所の径を調節することで、両竿節の保持力に差を持たせることが可能である。また、中竿及び穂先竿の保持方法については、各竿の基端部に外嵌する構成ではなく、内嵌するような構成であっても良い。例えば、図１１に示す構成のように、中竿を保持する円周溝４５の中央に、穂先竿が当て付く段部４６ａを有する円柱状の突部４６を形成しておき、この突部４６を穂先竿に内嵌するような構成であっても良い。もちろん、このような構成においても、円周溝４５や突部４６の径を調節することで、両竿節の保持力に差を持たせることが可能である。
【図面の簡単な説明】
【００４５】
【図１】本発明に係る釣竿の第１の実施形態を示す図。
【図２】本発明に係る釣竿の別の例を示す図。
【図３】図１に示した釣竿の主要部を示し、元竿内に、中竿及び穂先竿を収納した状態を示す図。
【図４】図３に示す下栓の部分断面図。
【図５】図３に示す下栓の筒状部材における部分断面図。
【図６】図３に示す実施形態の変形例を示し、元竿内に、中竿及び穂先竿を収納した状態を示す図。
【図７】下栓の第１の変形例を示す図。
【図８】下栓の第２の変形例を示す図。
【図９】下栓に装着される保持部材の第１変形例を示す断面図。
【図１０】下栓に装着される保持部材の第２変形例を示す断面図。
【図１１】下栓に装着される保持部材の第３変形例を示す断面図。
【符号の説明】
【００４６】
１  釣竿
２  元竿
３  中竿
４  穂先竿
５  釣糸ガイド
５Ａ  釣糸ガイド（当接部材）
１０  下栓
１５  保持部材
２０  当接部材
【図１】
0004547709.tif 000002
【図２】
0004547709.tif 000003
【図３】
0004547709.tif 000004
【図４】
0004547709.tif 000005
【図５】
0004547709.tif 000006
【図６】
0004547709.tif 000007
【図７】
0004547709.tif 000008
【図８】
0004547709.tif 000009
【図９】
0004547709.tif 000010
【図１０】
0004547709.tif 000011
【図１１】
0004547709.tif 000012